(57)【要約】【課題】東洋蘭の根が位置する収容口に冷却構造を設けることで、東洋蘭の自生に要求される温度条件及び湿度条件を全て充足させ、初心者も容易に室内で東洋蘭を育てられるように構成した東洋蘭の生育条件維持装置を提供する。【解決手段】東洋蘭の根または東洋蘭を植えた植木鉢が挿入されて収容され、外部と連通される上部開放型の収容口が形成された本体と、前記収容口への冷気発散によって温度を人為的に下降させる冷却部と、前記本体に形成された前記収容口の温度を計測する温度計測センサーと、前記冷却部及び前記温度計測センサーに電源を供給する電源供給部とを含んで構成され、前記収容口の温度が東洋蘭の適正な自生温度より高いと、前記温度計測センサーは、前記冷却部の駆動によって前記収容口の温度が東洋蘭の自生条件に適した適正な自生温度に維持されるようにすることを特徴とする東洋蘭の生育条件維持装置を構成する。【選択図】図２
2009125072.tif 000002
【特許請求の範囲】
【請求項１】
東洋蘭の生育条件維持装置であって、
東洋蘭の根または東洋蘭を植えた植木鉢が挿入されて収容され、外部と連通される上部開放型の収容口が形成された本体と、
前記収容口への冷気発散によって温度を人為的に下降させる冷却部と、
前記本体に形成された前記収容口の温度を計測する温度計測センサーと、前記冷却部及び前記温度計測センサーに電源を供給する電源供給部とを備えてなり、
前記収容口の温度が東洋蘭の適正な自生温度より高いと、前記温度計測センサーが、前記冷却部の駆動によって前記収容口の温度が東洋蘭の自生条件に適した適正な自生温度に維持されるようにすることを特徴とする、東洋蘭の生育条件維持装置。
【請求項２】
前記冷却部として、
冷媒を高温及び高圧に圧縮させる圧縮機と、
この圧縮機によって高温及び高圧に圧縮された気体冷媒を低温及び高圧の液体冷媒に凝縮させる凝縮器と、
低温及び高圧に液化された冷媒を低温及び低圧に変換させる膨張バルブと、
低温及び低圧の液体冷媒を気化させることで前記収容口との熱交換を図る蒸発器とを備えてなる、冷凍サイクル型冷却部が設置されてなり、
東洋蘭の根が位置した前記収容口の温度を人為的に下降させるように構成されたことを特徴とする、請求項１に記載の東洋蘭の生育条件維持装置。
【請求項３】
前記冷却部として、
熱電素子、放熱板及び冷却板を備えてなり、
前記冷却板、前記放熱板及び前記熱電素子の間に形成される閉鎖回路によって、前記収容口の内壁に位置した前記冷却板では冷却が行われ、外部に設置された前記放熱板では放熱が行われるペルチェ型冷却部が設置され、東洋蘭の根が位置する前記収容口の温度を人為的に下降させるように構成されたことを特徴とする、請求項１に記載の東洋蘭の生育条件維持装置。
【発明の詳細な説明】
【技術分野】
【０００１】
本発明は、東洋蘭の生育条件維持装置に関するもので、より詳細には、自体に冷却構造を設けることで、東洋蘭の根の適正な温度条件及び湿度条件を全て充足させ、東洋蘭の旺盛な生育が可能になるように構成した東洋蘭の生育条件維持装置に関するものである。
【背景技術】
【０００２】
主に韓国、日本、中国などに分布するラン科植物である東洋蘭は、気温の低い涼しい陰地で自生するものであるが、これを採取して家庭で育てると、容易に枯れて死んでしまう。
【０００３】
上記のような問題が発生する原因は、東洋蘭の根部位が室内の暖かい温気に適応できずに枯れて死ぬためである。
【０００４】
しかしながら、従来には、東洋蘭の温度を適正に維持可能な専用の手段が設けられておらず、実際に、東洋欄に対する専門的な知識を持たない一般人たちが東洋欄を家庭で育てることは困難であった。
【０００５】
そして、東洋蘭に対する専門的な知識を持つ専門家たちは、温度条件を人為的に充足させるために、冷房状態の場所や涼しい室外で東洋蘭を育てているので、観賞のために東洋蘭を育てる本来の目的が見失われている。
【０００６】
したがって、当分野では、前記東洋蘭の温度条件を含む各種の生育条件を人為的に充足できる東洋蘭専用の装置が要求されているが、このような装置は未だに開発されていない実情である。
【発明の開示】
【発明が解決しようとする課題】
【０００７】
本発明は、上記のような要求に応じてなされたもので、その目的は、東洋蘭の根が位置する収容口に冷却構造を設けることで、東洋蘭の自生に要求される温度条件及び湿度条件を全て充足させ、初心者も容易に室内で東洋蘭を育てられるように構成した東洋蘭の生育条件維持装置を提供することにある。
【課題を解決するための手段】
【０００８】
上記のような目的は、本発明で提供される下記の構成によって達成される。
【０００９】
本発明に係る東洋蘭の生育条件維持装置は、東洋蘭の根または東洋蘭を植えた植木鉢が挿入されて収容され、外部と連通される上部開放型の収容口が形成された本体と、前記収容口への冷気発散によって温度を人為的に下降させる冷却部と、前記本体に形成された前記収容口の温度を計測する温度計測センサーと、前記冷却部及び前記温度計測センサーに電源を供給する電源供給部と、を含んで構成され、前記収容口の温度が東洋蘭の適正な自生温度より高いと、前記温度計測センサーは、前記冷却部の駆動によって前記収容口の温度が東洋蘭の自生条件に適した適正な自生温度に維持されるようにすることを特徴とする。
【発明の効果】
【００１０】
本発明は、温気に弱い東洋蘭の根の自生条件を考慮した上で、前記東洋蘭の根の周囲温度を人為的に下降させることで、東洋蘭の根の適正な温度条件を維持するようにした東洋蘭の生育条件維持装置を提供している。
【００１１】
このような東洋蘭の生育条件維持装置が活用されると、従来に温度条件を充足できずに東洋蘭を容易に育てられなかった初心者も、容易に東洋蘭を室内で育てることができる。
【００１２】
特に、冷却部の駆動を通して前記収容口の温度を人為的に下降させると、収容口の内壁に結露が発生するので、本発明に係る東洋蘭の生育条件維持装置を用いて東洋蘭を育てると、東洋蘭の生育に適した温度条件及び湿度条件が全て充足され、初心者も東洋蘭を室内で容易に育てることが可能になる。
【発明を実施するための最良の形態】
【００１３】
以下、添付された図面に基づいて、本発明の好適な実施例として提案している東洋蘭の生育条件維持装置を詳細に説明する。
【００１４】
図１ａ及び図１ｂは、本発明に係る東洋蘭の生育条件維持装置の外形構成を示した図で、図２は、本発明の一実施例に係る東洋蘭の生育条件維持装置の断面構成を示した図で、図３は、本発明の他の実施例に係る東洋蘭の生育条件維持装置の断面構成を示した図である。
【００１５】
基本的に、本発明に係る東洋蘭の生育条件維持装置１，１'は、図１乃至図３に示すように、外部と連通される上部開放型の収容口１１が形成された本体１０を備えており、前記収容口１１に東洋蘭１００が植えられた植木鉢１００'を挿入したり、東洋蘭１００の根を直接植えられるように構成される。
【００１６】
したがって、前記東洋蘭の生育条件維持装置１，１'は、図１ａに示すように、東洋欄１００の自生空間を形成する植木鉢の用途として使用されたり、図１ｂに示すように、東洋蘭１００が植えられた植木鉢１００'を収容して据え置く据置台として使用される。そして、前記収容口１１の底面に排水口１１ａを形成することで、東洋欄１００の自生による円滑な排水が行われるように構成することが好ましい。
【００１７】
前記本体１０は、図面では全て六面体のボックス状に示しているが、植木鉢の用途で使用される場合、図１ａに示したボックス状でなく、通常の東洋蘭の植木鉢と同一の外観を有するように製作することもできる。
【００１８】
一方、前記本体１０には、東洋蘭１００の根または東洋蘭１００が植えられた植木鉢１００'が挿入される収容口１１に冷気を発散することで、温度を人為的に下降させる冷却部４０，５０と、前記本体１０に形成された収容口１１の温度を計測する温度計測センサー２０と、前記冷却部４０，５０及び温度計測センサー２０に電源を供給する電源供給部３０とが設けられている。
【００１９】
ここで、前記温度計測センサー２０としては、代表的にバイメタルが活用可能であり、前記東洋蘭１００の根部位が収容される収容口１１には、公知の冷却構造が活用された多様な形態の冷却部が設置され、冷却作用を図ることができる。
【００２０】
前記収容口１１に冷気を発散することで温度を人為的に下降させる冷却部としては、代表的に、図２に示した冷凍サイクル型冷却部４０及び図３に示したペルチェ型冷却部５０が活用される。
【００２１】
まず、冷凍サイクル型冷却部４０は、冷媒を高温及び高圧に圧縮させる圧縮機４１と、この圧縮機４１によって高温及び高圧に圧縮された気体冷媒を低温及び高圧の液体冷媒に凝縮させる凝縮器４２と、低温及び高圧に液化された冷媒を低温及び低圧に変換させる膨張バルブ４３と、低温及び低圧の液体冷媒を気化させることで収容口１１との熱交換を図る蒸発器４４とを含んで構成され、収容口１１の温度を人為的に下降させるようになる。
【００２２】
そして、ペルチェ型冷却部５０は、熱電素子５３、放熱板５２及び冷却板５１を含んで構成され、冷却板５１、放熱板５２及び熱電素子５３の間に形成される閉鎖回路によって、収容口１１の内壁に位置した冷却板５１では冷却が行われ、外部に設置された放熱板５２では放熱が行われることで、収容口１１の温度を人為的に下降させるようになる。
【００２３】
上記のように、本体１０に冷却部４０，５０、温度計測センサー２０及び電源供給部３０を追加的に設けることで、前記収容口１１の温度が東洋蘭１００の適正な自生温度より高いと、前記温度計測センサー２０は、前記冷却部４０，５０の駆動によって収容口１１の温度が東洋蘭１００の自生条件に適した適正な自生温度に維持されるようにする。
【００２４】
さらに、前記冷却部４０，５０を設けることで収容口１１の温度を人為的に下降させると、周囲温度と収容口１１の内部温度との間に偏差が発生し、東洋蘭１００の根が植えられた収容口１１または東洋蘭１００の根が植えられた植木鉢１００'の内壁に結露が発生する。その結果、東洋蘭１００の根は、前記結露による水滴によって適正な湿度に維持されるようになる。
【００２５】
したがって、本発明に係る東洋蘭１００の生育条件維持装置１，１'を用いて東洋蘭１００を育てると、東洋蘭１００の生育に適した温度条件及び湿度条件を全て充足させることで、初心者も東洋蘭１００を室内で容易に育てることができる。
【図面の簡単な説明】
【００２６】
【図１ａ】本発明に係る東洋蘭の生育条件維持装置の外形構成を示した図である。
【図１ｂ】本発明に係る東洋蘭の生育条件維持装置の外形構成を示した図である。
【図２】本発明の一実施例に係る東洋蘭の生育条件維持装置の断面構成を示した図である。
【図３】本発明の他の実施例に係る東洋蘭の生育条件維持装置の断面構成を示した図である。
【符号の説明】
【００２７】
１，１'  東洋蘭の生育条件維持装置
１０  本体
１１  収容口
１１ａ  排水口
２０  温度計測センサー
３０  電源供給部
４０  冷凍サイクル型冷却部
４１  圧縮機
４２  凝縮器
４３  膨張バルブ
４４  蒸発器
５０  ペルチェ型冷却部
５１  冷却板
５２  放熱板
５３  熱電素子
１００  東洋蘭
【図１ａ】
2009125072.tif 000003
【図１ｂ】
2009125072.tif 000004
【図２】
2009125072.tif 000005
【図３】
2009125072.tif 000006